(57)【特許請求の範囲】
【請求項１】
トンネル内に構築された監視員通路に設けられた設置用空間内に設置される消火栓装置であって、
ホースを収納するホース収納部を内蔵する筐体を備え、
該筐体は、監視員通路の路面として供用できる天板部と該天板部の下方の本体部とを有し、
前記本体部は、前記ホース収納部の前面側に設けられた前面開口部と、該前面開口部にスライド可能に設けられた引き戸型の前面扉体を備え、
前記前面開口部の上部及び下部に前記本体部の幅方向外方に延出するレール部材を有し、かつ下部側のレール部材が貫通穴を有し、
前記前面扉体は、開扉時には前記前面扉体の全部又は一部が前記本体部の幅方向の外方に位置することを特徴とする消火栓装置。
【請求項２】
トンネル内に構築された監視員通路に設けられた設置用空間内に設置される消火栓装置であって、
ホースを収納するホース収納部を内蔵する筐体を備え、
該筐体は、上面部が開放されると共に前記ホース収納部の前面側に設けられた前面開口部を有する本体部と、該本体部の開放された上面部及び前記前面開口部を開閉可能に設けられ、上面扉部及び前面扉部を備えてなるＬ形の扉体とを備え、
該扉体は、前記筐体の幅方向にスライド可能に設けられると共に、前記上面扉部の後辺には張出し部を有し、前記監視員通路に該張出し部をスライド可能に支持する支持部材を設けたことを特徴とする消火栓装置。
【請求項３】
前記前面開口部に前記筐体の幅方向外方に延出するレール部材を有し、前記扉体は、開扉時には前記扉体の全部又は一部が前記筐体の幅方向の外方に位置することを特徴とする請求項２記載の消火栓装置。
【請求項４】
トンネル内に構築された監視員通路に設けられた設置用空間内に設置される消火器箱であって、
消火器を収納する消火器収納部を内蔵する筐体を備え、
該筐体は、上面部が開放されると共に前記消火器収納部の前面側に設けられた消火器箱前面開口部を有する本体部と、該本体部の開放された上面部及び前記消火器箱前面開口部を開閉可能に設けられ、上面扉部及び前面扉部を備えてなるＬ形の扉体とを備え、
該扉体は、前記筐体の幅方向にスライド可能に設けられると共に、前記上面扉部の後辺には張出し部を有し、前記監視員通路に該張出し部をスライド可能に支持する支持部材を設けたことを特徴とする消火器箱。
【発明の詳細な説明】
【技術分野】
【０００１】
本発明は、トンネル等に設置される消火栓装置及び消火器箱に関する。
【背景技術】
【０００２】
トンネル等に設置される消火栓装置は、例えば特許文献１に開示されたように、消火栓本体を「トンネル壁面に形成された箱抜き部分」に設置していた。
【０００３】
しかしながら、最近の大口径のトンネルはシールド工法によって構築されることが多く、この場合、トンネルの壁面がトンネルの掘削と同時に鋼製のセグメントで構築されるため、特許文献１に開示されているような箱抜きをすることができない。
そのため、消火栓装置の本体の設置場所として、トンネル壁面ではなく、監視員通路内に埋め込むことが考えられ、このような態様のものとして特許文献２に開示されたトンネル用消火栓装置がある。
【０００４】
特許文献２に開示のものは、「トンネル側壁の路肩に沿って所定の高さに構築された監視員通路を備えたトンネルに設置されるトンネル用消火栓装置に於いて、前記監視員通路の路面側の側壁を装置前面として監視員通路の下部の空間に本体を収納したことを特徴とするトンネル用消火栓装置。」（特許文献２の請求項１参照）である。
【先行技術文献】
【特許文献】
【０００５】
【特許文献１】特開２０１５−４４０３９号公報
【特許文献２】特開２００１−９０５３号公報
【発明の概要】
【発明が解決しようとする課題】
【０００６】
特許文献２に開示のものは、本体内に引き出し可能に設けたトレイにホースリールや消火器を収納し、前記トレイを前面側に引き出すようにしている。そのため、消火栓装置の前面側にはトレイを引き出すための空間が必要となる。
しかしながら、消火栓装置の前面側は、車道に近く、事故車等が消火栓装置の前面側にあることも考えられ、消火栓装置の前面にはほとんど空間がないことも考えられる。そのため、消火活動を迅速に行えないことが想定される。
【０００７】
なお、トンネル内に設置される消火用の機器を収納するものとして消火器を収納する消火器箱があるが、消火器箱についても上述の消火栓装置と同様の課題が存在する。
【０００８】
本発明はかかる課題を解決するためになされたものであり、消火栓装置を監視員通路内に埋め込むようにして設置した場合において、消火用のホースの取り出しに支障が生ずることなく迅速な消火活動ができる消火栓装置を得ることを目的としている。
また、消火器箱を監視員通路内に埋め込むようにして設置した場合において、消火器の取り出しに支障が生ずることなく迅速な消火活動ができる消火器箱を得ることを目的としている。
【課題を解決するための手段】
【０００９】
（１）本発明に係る消火栓装置は、トンネル内に構築された監視員通路に設けられた設置用空間内に設置される消火栓装置であって、
ホースを収納するホース収納部を内蔵する筐体を備え、該筐体は、監視員通路の路面として供用できる天板部と該天板部の下方の本体部とを有し、前記本体部は、前記ホース収納部の前面側に設けられた前面開口部と、該前面開口部にスライド可能に設けられた引き戸型の前面扉体を備えたことを特徴とするものである。
【００１０】
（２）また、上記（１）に記載のものにおいて、前記前面開口部の前記本体部の幅方向外方に延出するレール部材を有し、前記前面扉体は、開扉時には前記前面扉体の全部又は一部が前記本体部の幅方向の外方に位置することを特徴とするものである。
【００１１】
（３）また、上記（２）に記載のものにおいて、前記レール部材は、前記前面開口部の上部及び下部に設けられ、下部側のレール部材は、貫通穴を有することを特徴とするものである。
【００１２】
（４）また、トンネル内に構築された監視員通路に設けられた設置用空間内に設置される消火栓装置であって、
ホースを収納するホース収納部を内蔵する筐体を備え、該筐体は、上面部が開放されると共に前記ホース収納部の前面側に設けられた前面開口部を有する本体部と、該本体部の開放された上面部及び前記前面開口部を開閉可能に設けられたＬ形の扉体とを備え、該扉体は、前記筐体の幅方向にスライド可能に設けられていることを特徴とするものである。
【００１３】
（５）また、上記（４）に記載のものにおいて、前記前面開口部に前記筐体の幅方向外方に延出するレール部材を有し、前記扉体は、開扉時には前記扉体の全部又は一部が前記筐体の幅方向の外方に位置することを特徴とするものである。
【００１４】
（６）本発明に係る消火器箱は、トンネル内に構築された監視員通路に設けられた設置用空間内に設置されるものであって、
消火器を収納する消火器収納部を内蔵する筐体を備え、該筐体は、監視員通路の路面として供用できる天板部と該天板部の下方の本体部とを有し、前記本体部は、前記消火器収納部の前面側に設けられた消火器箱前面開口部と、該消火器箱前面開口部にスライド可能に設けられた引き戸型の消火器箱前面扉体を備えたことを特徴とするものである。
【００１５】
（７）また、上記（６）に記載のものにおいて、前記消火器箱前面開口部の幅方向外方に延出するレール部材を有し、前記消火器箱前面扉体は、開扉時には前記消火器箱前面扉体の全部又は一部が前記本体部の幅方向の外方に位置することを特徴とするものである。
【００１６】
（８）また、トンネル内に構築された監視員通路に設けられた設置用空間内に設置される消火器箱であって、
消火器を収納する消火器収納部を内蔵する筐体を備え、該筐体は、上面部が開放されると共に前記消火器収納部の前面側に設けられた消火器箱前面開口部を有する本体部と、該本体部の開放された上面部及び前記消火器箱前面開口部を開閉可能に設けられたＬ形の扉体とを備え、該扉体は、前記筐体の幅方向にスライド可能に設けられていることを特徴とするものである。
【発明の効果】
【００１７】
本発明に係る消火栓装置は、ホースを収納するホース収納部を内蔵する筐体を備え、該筐体は、監視員通路の路面として供用できる天板部と該天板部の下方の本体部とを有し、前記本体部は、前記ホース収納部の前面側に設けられた前面開口部と、該前面開口部にスライド可能に設けられた引き戸型の前面扉体を備えたことにより、消火栓装置をトンネル内の監視員通路に埋め込むようにして設置した場合において、消火栓装置の前面側にスペースがない場合であっても、前面扉体が引き戸型の扉体であるため、開放が可能であり、消火活動を行うことができる。
【図面の簡単な説明】
【００１８】
【図１】本発明の実施の形態１に係る消火栓装置の開扉状態の斜視図である。
【図２】図１に示した消火栓装置の閉扉状態の斜視図である。
【図３】図１に示した消火栓装置を監視員通路に設けられる設置用空間に設置した状態であって、かつ閉扉状態の斜視図である。
【図４】図１に示した消火栓装置を監視員通路に設けられる設置用空間に設置した状態であって、かつ開扉状態の斜視図である。
【図５】本発明の実施の形態２に係る消火栓装置の開扉状態の斜視図である。
【図６】図５に示した消火栓装置の閉扉状態の斜視図である。
【図７】図５に示した消火栓装置を監視員通路に設けられる設置用空間に設置した状態であって、かつ閉扉状態の斜視図である。
【図８】図５に示した消火栓装置を監視員通路に設けられる設置用空間に設置した状態であって、かつ開扉状態の斜視図である。
【図９】本発明の実施の形態３に係る消火栓装置の開扉状態の斜視図である。
【図１０】図９に示した消火栓装置の閉扉状態の斜視図である。
【図１１】図９に示した消火栓装置を監視員通路に設けられる設置用空間に設置した状態であって、かつ閉扉状態の斜視図である。
【図１２】図９に示した消火栓装置を監視員通路に設けられる設置用空間に設置した状態であって、かつ開扉状態の斜視図である。
【図１３】本発明の実施の形態４に係る消火栓装置の開扉状態の斜視図である。
【図１４】図１３に示した消火栓装置の閉扉状態の斜視図である。
【図１５】図１３に示した消火栓装置を監視員通路に設けられる設置用空間に設置した状態であって、かつ閉扉状態の斜視図である。
【図１６】図１３に示した消火栓装置を監視員通路に設けられる設置用空間に設置した状態であって、かつ開扉状態の斜視図である。
【図１７】実施の形態４に示した消火栓装置の他の態様の斜視図である。
【図１８】本発明に係る消火栓装置が設置される監視員通路に設けられる設置用空間の説明図である。
【発明を実施するための形態】
【００１９】
［実施の形態１］
本実施の形態に係る消火栓装置は、トンネル内の車道の路肩に構築された監視員通路に設けられた設置用空間内に設置されるものである。
まず、消火栓装置が設置される監視員通路の設置用空間について図１８に基づいて説明する。
図１８は、トンネルの路肩の監視員通路の一部を示したものであり、図中、７１はトンネル壁面、７３は監視員通路、７５は車道である。
監視員通路７３の路面は、車道幅方向（奥行き方向）に車道７５側が低くなるような傾斜面となっている。この傾斜面の勾配は、排水勾配と呼ばれ、傾斜角度は2.0％程度である。なお、2.0％の傾斜とは、100cmで2.0cmの高低差が生ずるような傾斜をいう。
【００２０】
設置用空間７７は、図１８に示すように、監視員通路７３の前壁７９から監視員通路７３の車道幅方向に切り欠くように設けられ、車道幅方向断面では設置用空間７７を形成する壁がＬ字形状になっている。このような設置用空間７７が設けられることで監視員通路７３の路面には開口部が形成される。そして、該開口部の開口縁部８１の３辺は、後述する図１に示す消火栓装置１の天板部１３の張出し部１７が載置されるため、一段低くなった段部になっている。
【００２１】
上記のような設置用空間７７に設置される本実施の形態の消火栓装置１を、図１、図２に基づいて説明する。
本実施の形態の消火栓装置１は、図１、図２に示すように、ホース３を収納するホース収納部５と、消火器７を収納する消火器収納部９を内蔵する箱形の筐体１１を備え、筐体１１は、監視員通路７３の路面として供用できる天板部１３と天板部１３の下方の本体部１５とを有している。
【００２２】
＜天板部＞
天板部１３は、本体部１５と一体的に連結されており、本体部１５の側面外周部から外方に張出す張出し部１７を有している。張出し部１７は、両側辺と後辺（背面側の辺）の３辺、即ち、前面側の辺以外に設けられている。
なお、張出し部１７は天板部１３の他の部位と一体でも別体でもよい。
【００２３】
前述したように監視員通路７３に排水勾配が設けられている場合には、これに合わせて天板部１３を本体部１５に対して傾斜させて設置するようにするのが好ましい。
【００２４】
天板部１３におけるホース収納部５の上方に相当する部位には、上面開口部１９が形成され、上面開口部１９には開閉可能な上面扉２１が設けられている。より詳細には、上面開口部１９は、収納されているホース３より前面側であり、後述する消火ノズル２６の上方に位置している。
天板部１３に上面開口部１９及び上面扉２１を設けたのは、消火栓装置１の天板部１３側から、ホース３の引き出しや、後述する操作レバー２７の操作を可能にするためである。つまり、消火活動は、監視員通路７３の路上からでも、車道７５からでも行うことができる。
【００２５】
上面扉２１は、前側に設けられた図示しない回動軸を中心として、前面側に向けて回動して、上面開口部１９を開口するようになっている。
上面扉２１は、開放状態でロックして自然には閉止しないようにするのが好ましい。
なお、上面扉２１の開閉方式についても、上記の回動式に限定されず、例えばスライド方式や、あるいは実施の形態２で示すような単に置くだけの載置式のものであってもよい。
【００２６】
天板部１３における消火器収納部９の上方に相当する部位には、消火器箱上面開口部２３が形成され、消火器箱上面開口部２３には開閉可能な消火器箱上面扉２５が設けられている。消火器箱上面開口部２３は消火器７の上方に位置し、消火器１本分又は複数本分が通過可能な大きさを有している。消火器箱上面開口部２３は、上面開口部１９と比較して、奥行き（車道幅方向）は長く、車道走行方向の幅は短い矩形状となっている。
消火器箱上面扉２５も上面扉２１と同様の構成となっている。
なお、上面扉２１と消火器箱上面扉２５の開放方法は上述のように同じ開放方法を採用しても良いし、異なる採用方法としてもよい。例えば、上面扉２１は上述のように回動方式であり、消火器箱上面扉２５はスライド方式、載置式であってもよい。
【００２７】
＜本体部＞
本体部１５の内部には、図１に示すように、内巻きに巻き回されたホース３を収納するホース収納部５および消火器７を立てた状態で収納する消火器収納部９が設けられている。
また、ホース収納部５の前面側の近傍で、かつ高さ方向で中程よりも上方側には、消火栓弁を操作するための操作レバー２７が設けられている。
さらに、ホース収納部５の前面側の近傍で、かつ上部側には、ホース３の先端に設けられた消火ノズル２６を所定の位置に保持するためのノズルホルダ２９が設けられている。
消火ノズル２６は、ホース３の先端部に設けられ、消火水（泡水溶液も含む）を放射するものである。
【００２８】
操作レバー２７及びノズルホルダ２９を設ける位置は、後述する筐体１１の前面扉体３７及び上面扉２１のいずれを開扉した状態からでも操作者が操作等できる位置に設けるのが望ましい。
また、ノズルホルダ２９による消火ノズル２６の保持方法についても、筐体１１の前面側及び上面側のいずれからでも容易に取り外し可能な保持方法にするのが望ましい。
【００２９】
本体部１５におけるホース収納部５の前面には前面開口部３１が設けられている。
前面開口部３１の上辺部には、本体部１５の幅方向外方に延出する軸方向直交断面が略コ字状の上レール部材３３が設けられている。また、前面開口部３１の下辺部には、上レール部材３３と平行で、本体部１５の幅方向外方に延出する軸方向直交断面が略コ字状の下レール部材３５が設けられている。
【００３０】
そして、上レール部材３３と下レール部材３５との間には、幅方向にスライドする引き戸型の前面扉体３７が設けられている。
開扉状態では、前面扉体３７は、図１に示すように、ほぼその全体が本体部１５の幅方向の外方に配置され、それ故に、開扉状態では、前面開口部３１の全体が開放された状態になる。このため、ホース３を引き出す際には、邪魔になるものがなく、極めてスムーズにホース３を引き出すことができる。
【００３１】
一方、閉扉状態では、図２に示すように、前面開口部３１を完全に閉止することができる。なお、図２の一部拡大図に示すように、下レール部材３５のレール面には、所定の間隔で貫通穴３９が設けられている。貫通穴３９を設けることで、下レール部材３５に雨滴やごみ等が溜まるのを防止して、前面扉体３７の円滑な開閉ができるようにしている。
なお、貫通穴３９の形状は丸穴以外に長方形や格子形状であってもよい。また穴の間隔も一定間隔である必要性はなく、扉の重量を保持できる強度を保った上で広い開口面積が得られればよい。
なお、前面扉体３７の上辺部には、前面扉体３７の開閉をスムーズにするために、後述の実施の形態３で説明するような戸車を１個又は複数設けることが望ましい。
【００３２】
また、本体部１５における消火器収納部９の前面には消火器箱前面開口部４１が設けられ、消火器箱前面開口部４１には、消火器箱上レール部材４３及び消火器箱下レール部材４５、及び前面扉体３７と同様の幅方向にスライドする引き戸型の消火器箱前面扉体４７が設けられている。
消火器箱前面扉体４７を開扉した状態では、図１に示すように、消火器収納部９の前面が全体に開放されるので、消火器７の取り出しが極めてスムーズに行うことができる。
なお、消火器箱前面扉体４７の上辺部には、上述した前面扉体３７と同様に、戸車を１個又は複数設けることが望ましい。
【００３３】
前面開口部３１と消火器箱前面開口部４１の間には、前面パネル部４９が設けられ、前面パネル部４９には赤色表示灯５１、非常時を監視員に知らせるための非常ボタン５３、非常ボタン５３を押したときに点灯する非常ランプ５５が設けられている。
【００３４】
次に、上記のように構成された本実施の形態の消火栓装置１の設置方法及び設置状態について図３、図４に基づいて説明する。
上述したように、消火栓装置１は、監視員通路７３の開口縁部８１(図１８参照)に天板部１３の張出し部１７を載置して設置される。
【００３５】
また、監視員通路７３に排水勾配が設けられている場合には、排水勾配に合わせて天板部１３を本体部１５に対して奥行き方向で傾斜させておけば、監視員通路７３に対して面一の状態で設置することができる。なお、排水勾配は車道７５の車道走行方向の傾斜と違って設置箇所によって傾斜勾配が変わらないので、消火栓装置１としては設置予定の監視員通路７３の傾斜勾配に合わせて天板部１３を傾斜させておけばよい。
【００３６】
上記のように設置された消火栓装置１においては、天板部１３が監視員通路７３の路面の一部となり通行することができる。
また、かつホース３の引き出し、操作レバー２７の操作、及び消火器７の取り出しを前面側及び上面側から行うことができる。
特に、本実施の形態では、前面扉体３７及び消火器箱前面扉体４７を幅方向にスライドする引き戸型のものにしたので、開放に際して前面扉体３７及び消火器箱前面扉体４７が前方に張出すことがなく、消火栓装置１の前面側にスペースが不要であり、事故車等が消火栓装置１の前面側にあるような場合でも開扉操作をすることができる。しかも、全開状態では前面開口部３１及び消火器箱前面開口部４１の全体が開放できるようにしたので、ホース３の引き出しや消火器７の取り出しを極めてスムーズに行うことができる。
もっとも、前面扉体３７及び消火器箱前面扉体４７は、全開にしなくて一部開放した場合であっても、前面開口部３１及び消火器箱前面開口部４１の上下方向の全体が開放されるため開口面積が広く、ホース３の引き出しや消火器７の取り出しをスムーズに行うことができる。
【００３７】
［実施の形態２］
実施の形態２に係る消火栓装置５７を図５〜図８に基づいて説明する。なお、図５〜図８において、実施の形態１に係る図１〜図４と同一部分及び対応する部分には同一の符号を付して説明を省略する。
【００３８】
本実施の形態に係る消火栓装置５７は、図５、図６に示すように、ホース３を収納するホース収納部５と、消火器７を収納する消火器収納部９を内蔵する筐体５９を備え、筐体５９は、上面部の全体が開放されると共にホース収納部５の前面側に設けられた前面開口部３１及び消火器収納部９の前面側に設けられた消火器箱前面開口部４１を有する本体部６１と、本体部６１の上面開放部６２、前面開口部３１及び消火器箱前面開口部４１を開閉可能に設けられたＬ形の扉体６３とを備えている。
【００３９】
＜本体部＞
本体部６１は、図５に示すように、前面側には実施の形態と同様の前面開口部３１及び消火器箱前面開口部４１を有するが、上面部はその全体が開放された上面開放部６２となっており、天板部１３を有していない。
また、上面部の全体が開放された関係から、前面パネル部４９を支持するために、前面パネル部４９の上端縁から両側に延びるフレーム部４９ａが設けられている。
前面開口部３１及び消火器箱前面開口部４１の下部には、実施の形態１と同様の下レール部材３５及び消火器箱下レール部材４５が設けられている。
【００４０】
＜扉体＞
扉体６３は、ホース収納部５側に設けられたＬ形のホース収納部側扉体６５と、消火器収納部９側に設けられた側面視Ｌ形の消火器収納部側扉体６７の２つの扉体で構成されている。
また、ホース収納部側扉体６５は、前面開口部３１側に配置される前面扉部６５ａと、上面部側に配置される上面扉部６５ｂからなり、上面扉部６５ｂの前辺と前面扉部６５ａの上辺とが連結されて側面視Ｌ形になっている。
なお、本発明において、Ｌ形とは、前面扉部６５ａと上面扉部６５ｂが必ずしも直角に連結されていることを意図するものではなく、上面扉部６５ｂの前辺と、前面扉部６５ａの上辺とが所定の角度をもって連結されているものを広く含む。また、上面扉部６５ｂと前面扉部６５ａが連結される部位についても、必ずしも両者の端部同士である必要もない。
【００４１】
消火器収納部側扉体６７も、ホース収納部側扉体６５と同様に、消火器箱前面開口部４１側に配置される前面扉部６７ａと、上面部側に配置される上面扉部６７ｂからなり、上面扉部６７ｂの前辺と前面扉部６７ａの上辺とが連結されてＬ形になっている。
【００４２】
ホース収納部側扉体６５を開放すると、図５に示すように、ホース収納部５の前面側と上面側の両方が開放される。また、消火器収納部側扉体６７を開放すると、消火器収納部９の前面側と上面側の両方が開放される。
他方、ホース収納部側扉体６５及び消火器収納部側扉体６７を閉扉すると、図６に示すように、前面開口部３１、消火器箱前面開口部４１及び本体部６１の上面部が閉じられた状態になる。
【００４３】
なお、ホース収納部側扉体６５の前面扉部６５ａ及び消火器収納部側扉体６７の前面扉部６７ａの下辺部には、ホース収納部側扉体６５及び消火器収納部側扉体６７の開閉をスムーズにするために、後述の実施の形態４で説明するような戸車を１個又は複数設けることが望ましい。
【００４４】
なお、ホース収納部側扉体６５の上面扉部６５ｂ及び、消火器収納部側扉体６７の上面扉部６７ｂの後辺側は、本体部６１の上端部で支持されているが、図５に示すように、ホース収納部側扉体６５及び消火器収納部側扉体６７を開扉した状態では、上面扉部６５ｂ、６７ｂの後辺側を支持するものがない状態となる。
そこで、上面扉部６５ｂ、６７ｂの開閉をスムーズに行うために、上面扉部６５ｂ、６７ｂの後辺（背面側の辺）の張出し部１７をスライド可能に支持するコロのようなものを監視員通路面上に、設けるのが好ましい。
【００４５】
消火栓装置５７を監視員通路７３の設置用空間７７に設置した状態では、図７、図８に示すような状態になる。ホース収納部側扉体６５及び消火器収納部側扉体６７を閉扉した状態では、図７に示すように、実施の形態１における前面扉体３７及び消火器箱前面扉体４７を閉扉した状態を示した図３とほぼ同様の状態である。
【００４６】
他方、ホース収納部側扉体６５及び消火器収納部側扉体６７を開扉した状態では、図８に示すように、本体部６１の前面側と上面側がほぼ全体に開放され、ホース３の引き出し、及び消火器７の取り出しが極めてスムーズに行える状態となる。
本実施の形態の消火栓装置５７においては、実施の形態１で述べた効果に加えて、本体部６１の前面側と上面側が同時に開閉されるので、火災等が発生した緊急時において円滑な消火活動が可能となる。
【００４７】
［実施の形態３］
本実施の形態の消火栓装置６８について、図９〜図１２に基づいて説明する。
消火栓装置６８は、実施の形態１の消火栓装置１の他の態様に相当するものであり、図９〜図１２において、図１〜図４と同一部分及び対応する部分には同一の符号を付している。
【００４８】
消火栓装置６８が、実施の形態１の消火栓装置１と異なる点は、上レール部材３３、下レール部材３５及び消火器箱上レール部材４３、消火器箱下レール部材４５が本体部１５の幅方向外方に延出することなく設けられている点である。つまり、消火栓装置６８の上レール部材３３、下レール部材３５及び消火器箱上レール部材４３、消火器箱下レール部材４５の本体部１５幅方向の外側の端部は、本体部１５の側面の位置と略一致している（図１０参照）。
【００４９】
なお、図９の上レール部材３３の一部を破砕して示す一部拡大図に示すように、前面扉体３７の上辺部の内方側端部（図９中右側端部）には、上レール部材３３の上壁３３ａに当接して転動する戸車６９が設けられている。戸車６９を設けることで、前面扉体３７の開閉をスムーズに行うことができる。なお、消火器箱前面扉体４７の上辺部にも同様の戸車（図示なし）が設けられている。
【００５０】
消火栓装置６８を監視員通路７３の設置用空間７７に設置した状態では、図１１、図１２に示すような状態になる。図１１に示すように、上レール部材３３、下レール部材３５及び消火器箱上レール部材４３、消火器箱下レール部材４５が本体部１５の幅方向外方に延出していないので、消火栓装置６８を設置するに際して、監視員通路７３の前壁７９との干渉を考慮する必要がなく、設置が容易である。
【００５１】
前面扉体３７及び消火器箱前面扉体４７を全開した状態では、図１２に示すように、実施の形態１の消火栓装置１とほぼ同様の状態にすることができる。もっとも、実施の形態１でも述べたように、前面扉体３７及び消火器箱前面扉体４７は全開する必要はない。
なお、前面扉体３７及び消火器箱前面扉体４７を開扉したときに、前面扉体３７及び消火器箱前面扉体４７が上レール部材３３、下レール部材３５及び消火器箱上レール部材４３、消火器箱下レール部材４５から抜け出さないようにストッパを設けるのが望ましい。
【００５２】
本実施の形態の消火栓装置６８は、上述した効果に加えて実施の形態１の消火栓装置１と共通の構造を有することに起因して実施の形態１で述べた効果を奏することは言うまでもない。
【００５３】
［実施の形態４］
本実施の形態の消火栓装置７０について、図１３〜図１６に基づいて説明する。
消火栓装置７０は、実施の形態２の消火栓装置５７の他の態様に相当するものであり、図１３〜図１６において、図５〜図８と同一部分及び対応する部分には同一の符号を付している。
【００５４】
消火栓装置７０が、実施の形態２の消火栓装置５７と異なる点は、下レール部材３５及び消火器箱下レール部材４５が本体部６１の幅方向外方に延出することなく設けられている点である。つまり、消火栓装置７０の下レール部材３５及び消火器箱下レール部材４５の本体部６１幅方向の外側の端部は、本体部６１の側面の位置と略一致している（図１４参照）。
【００５５】
なお、図１３の下レール部材３５の一部を破砕して示す一部拡大図に示すように、前面扉部６５ａの下辺部の内方側端部（図１３中右側端部）には、下レール部材３５の溝内を転動する戸車６９が設けられている。戸車６９を設けることで、前面扉部６５ａひいてはホース収納部側扉体６５の開閉をスムーズに行うことができる。なお、消火器収納部側扉体６７の前面扉部６７ａの下辺部にも同様の戸車（図示なし）が設けられている。
【００５６】
消火栓装置７０を監視員通路７３の設置用空間７７に設置した状態では、図１５、図１６に示すような状態になる。図１６に示すように、下レール部材３５及び消火器箱下レール部材４５が本体部６１の幅方向外方に延出していないので、実施の形態３の消火栓装置６８と同様に、消火栓装置７０を設置するに際して、監視員通路７３の前壁７９との干渉を考慮する必要がなく、設置が容易である。
【００５７】
ホース収納部側扉体６５及び消火器収納部側扉体６７を全開した状態では、図１６に示すように、実施の形態２の消火栓装置１とほぼ同様の状態にすることができる。もっとも、ホース収納部側扉体６５及び消火器収納部側扉体６７は全開する必要はない。
なお、ホース収納部側扉体６５及び消火器収納部側扉体６７を開扉したときに、ホース収納部側扉体６５及び消火器収納部側扉体６７が下レール部材３５及び消火器箱下レール部材４５から抜け出さないようにストッパを設けるのが望ましい。もっとも、ホース収納部側扉体６５及び消火器収納部側扉体６７はＬ形状をしているので、上記ストッパがなく、仮にホース収納部側扉体６５及び消火器収納部側扉体６７が下レール部材３５及び消火器箱下レール部材４５から抜け出したとしても、上面扉部６５ｂ、６７ｂが監視員通路７３の路面で支持されるので、ホース収納部側扉体６５及び消火器収納部側扉体６７が落下することはない。
【００５８】
本実施の形態の消火栓装置７０は、上述した効果に加えて実施の形態２の消火栓装置５７と共通の構造を有することに起因して実施の形態２で述べた効果を奏することは言うまでもない。
【００５９】
なお、実施の形態２、４に示した消火栓装置７０においては、前面パネル部４９を支持するために、横方向に延びるフレーム部４９ａを設けていたが、図１７に示す消火栓装置８３のように、このフレーム部４９ａを無くして、前面パネル部４９を支持するために、前面パネル部４９の上辺部から背面まで延出する上面部８５を形成するようにしてもよい。
このようにすることで、上面開放部６２と、前面開口部３１及び消火器箱前面開口部４１の間を遮るものがなくなり、ホース３の引き出しや消火器７の取り出しがより容易になる。
【００６０】
上記の実施の形態１、３では、前面開口部３１及び消火器箱前面開口部４１の上下にレール部材を設け、実施の形態２、４では前面開口部３１及び消火器箱前面開口部４１の下部にレール部材を設けたものを示したが、レール部材の数や設置する位置は特に限定されるものではなく、設置位置に関しては、例えば前面開口部３１及び消火器箱前面開口部４１の高さ方向中間位置等に設けてもよい。
【００６１】
また、上記の実施の形態１〜４では、前面扉体３７、消火器箱前面扉体４７、ホース収納部側扉体６５、消火器収納部側扉体６７をそれぞれ１枚で構成した例を示したが、本発明の引き戸型の前面扉体はこれに限定されるものではなく、各扉体を２枚の扉体で構成し、各扉体を前後にずれて配置することで各扉体をいわゆる引き違い窓のような構造にして、それぞれ左右に、あるいは上方に移動して、開閉できるようにしてもよい。
【００６２】
また、上記の実施の形態１〜４では、前面扉体３７、消火器箱前面扉体４７、ホース収納部側扉体６５、消火器収納部側扉体６７は、開扉時には本体部１５、６１の幅方向の外側にスライドし、開扉した状態では本体部１５、６１の外側に各扉体が配置されるものであったが、本発明の引き戸型の前面扉体はこれに限定されるものではなく、前面パネル部４９の面積を大きくすると共に、各扉体の面積を小さくして、開扉する場合、各扉体を外方ではなく内方にスライドさせるようにしてもよい。この場合、開扉した際に、各扉体が本体部１５、６１の外側に配置されることなく前面パネル部の内側又は外側に重なるように配置される。このようにすることで、開扉時に各扉体が監視員通路７３の前壁７９側に配置されないので、設置時において前壁７９の形状等を考慮する必要がなくなる。
【００６３】
また、上記の実施の形態１〜４では、前面扉体３７、消火器箱前面扉体４７、ホース収納部側扉体６５、消火器収納部側扉体６７は、操作を行う者が人力で開放するものであったが、例えば各扉体を開扉方向に付勢する付勢手段としてのガススプリング等と、常時において各扉体に係止して閉止状態に維持する係止部とを設け、各扉体の開扉時には、前記係止部の係止を外すことで、各扉体が自動的に、あるいは弱い力で開くようにしてもよい。
【００６４】
さらにまた、上記の実施の形態では、ホース３を収納するホース収納部５を有する消火栓装置１、５７、６８、７０について説明したが、監視員通路７３には消火栓装置ではなく、消火器のみを収容する消火器箱を設置することも考えられ、このような場合には、消火器箱にも上述した消火栓装置１、５７、６８、７０の特徴を適用することができる。
すなわち、消火器箱を、実施の形態１〜４の消火器収納部９側と同様の筐体で構成することで、上述した実施の形態１〜４と同様の効果を奏することができる。
【符号の説明】
【００６５】
１  消火栓装置（実施の形態１）
３  ホース
５  ホース収納部
７  消火器
９  消火器収納部
１１  筐体
１３  天板部
１５  本体部
１７  張出し部
１９  上面開口部
２１  上面扉
２３  消火器箱上面開口部
２５  消火器箱上面扉
２６  消火ノズル
２７  操作レバー
２９  ノズルホルダ
３１  前面開口部
３３  上レール部材
３３ａ  上壁
３５  下レール部材
３７  前面扉体
３９  貫通穴
４１  消火器箱前面開口部
４３  消火器箱上レール部材
４５  消火器箱下レール部材
４７  消火器箱前面扉体
４９  前面パネル部
４９ａ  フレーム部
５１  赤色表示灯
５３  非常ボタン
５５  非常ランプ
５７  消火栓装置（実施の形態２）
５９  筐体
６１  本体部
６２  上面開放部
６３  扉体
６５  ホース収納部側扉体
６５ａ  前面扉部
６５ｂ  上面扉部
６７  消火器収納部側扉体
６７ａ  前面扉部
６７ｂ  上面扉部
６８  消火栓装置（実施の形態３）
６９  戸車
７０  消火栓装置（実施の形態４）
＜監視員通路＞
７１  トンネル壁面
７３  監視員通路
７５  車道
７７  設置用空間
７９  前壁
８１  開口縁部
＜他の態様＞
８３  消火栓装置（実施の形態４の他の態様）
８５  上面部
【図１】
0006718654.tif 000002
【図２】
0006718654.tif 000003
【図３】
0006718654.tif 000004
【図４】
0006718654.tif 000005
【図５】
0006718654.tif 000006
【図６】
0006718654.tif 000007
【図７】
0006718654.tif 000008
【図８】
0006718654.tif 000009
【図９】
0006718654.tif 000010
【図１０】
0006718654.tif 000011
【図１１】
0006718654.tif 000012
【図１２】
0006718654.tif 000013
【図１３】
0006718654.tif 000014
【図１４】
0006718654.tif 000015
【図１５】
0006718654.tif 000016
【図１６】
0006718654.tif 000017
【図１７】
0006718654.tif 000018
【図１８】
0006718654.tif 000019